(57)【特許請求の範囲】
【請求項１】
アップリンク伝送方法であって、
端末装置は、第１マッピング関係に基づき、第１データ無線ベアラ（ＤＲＢ）にベアラされるパケットに対応する第１サービス品質（ＱｏＳ）フローの識別方式を確定し、前記第１マッピング関係がＱｏＳフローとＤＲＢとのマッピング関係であることと、
前記第１ＱｏＳフローの識別方式に基づき、前記第１ＤＲＢにベアラされる前記パケットに対応する前記第１ＱｏＳフローを識別することと、
前記第１ＤＲＢによってネットワーク機器へ前記第１ＱｏＳフローの識別情報を含む前記パケットを送信することと、を含み、
第１データ無線ベアラ（ＤＲＢ）にベアラされるパケットに対応する第１サービス品質（ＱｏＳ）フローの識別方式を確定することは、
前記第１マッピング関係内において、複数のＱｏＳフローが１つのＤＲＢに対応する場合、前記端末装置は、１つのＤＲＢに対応するＱｏＳフローの数に基づいて前記第１ＱｏＳフローの識別方式を確定することを含み、
前記端末装置が、１つのＤＲＢに対応するＱｏＳフローの数に基づいて前記第１ＱｏＳフローの識別方式を確定することは、
前記第１マッピング関係内において、各ＤＲＢに対応するＱｏＳフローの数が同じ又は異なるである場合、前記端末装置は、前記第１ＤＲＢに対応するＱｏＳフローの数に基づいて前記第１ＱｏＳフローの識別方式を確定することを含み、
前記第１マッピング関係内において、各ＤＲＢに対応するＱｏＳフローの数が同じ又は異なるである場合、前記端末装置が、前記第１ＤＲＢに対応するＱｏＳフローの数に基づいて前記第１ＱｏＳフローの識別方式を確定することは、
前記第１ＤＲＢに対応するＱｏＳフローの数が所定の第１数閾値より小さい場合、第２識別方式で前記第１ＱｏＳフローを識別することを確定し、前記第２識別方式が、前記第１ＤＲＢに対応するＱｏＳフローの数に基づき、特定ビット数の識別情報を確定し、前記特定ビット数の識別情報によって前記第１ＱｏＳフローを識別する方式であり、
前記第１ＤＲＢに対応するＱｏＳフローの数が前記所定の第１数閾値より大きい場合、第３識別方式で前記第１ＱｏＳフローを識別することを確定し、前記第３識別方式が前記第１ＱｏＳフローのＱｏＳフロー識別子（ＩＤ）で前記第１ＱｏＳフローを識別する方式であることを含むことを特徴とする、前記アップリンク伝送方法。
【請求項２】
前記方法は、更に、
前記端末装置は、前記第１マッピング関係を確定することを含むことを特徴とする
請求項１に記載の方法。
【請求項３】
前記端末装置が、前記第１マッピング関係を確定することは、
前記端末装置は、前記ネットワーク機器から送信された、前記ネットワーク機器が前記第１マッピング関係を前記端末装置に設定するための上位レイヤシグナリングを受信することと、
前記端末装置は、前記上位レイヤシグナリングに基づいて前記第１マッピング関係を確定することと、を含むことを特徴とする
請求項２に記載の方法。
【請求項４】
前記端末装置が、前記第１マッピング関係を確定することは、
前記端末装置は、ネットワーク機器から送信された、第２マッピング関係に基づいて前記第１マッピング関係を確定するように前記端末装置に指示するための上位レイヤシグナリングを受信し、前記第２マッピング関係がダウンリンクデータマッピングのためのＤＲＢとＱｏＳフローとのマッピング関係であることと、
前記端末装置は、ミラーマッピング後の前記第２マッピング関係を前記第１マッピング関係として確定することと、を含むことを特徴とする
請求項２に記載の方法。
【請求項５】
アップリンク伝送方法であって、
ネットワーク機器は、端末装置が第１データ無線ベアラ（ＤＲＢ）によって送信したパケットを受信することと、
第１マッピング関係に基づき、前記パケットに対応する第１サービス品質（ＱｏＳ）フローの識別方式を確定し、前記第１マッピング関係がＱｏＳフローとＤＲＢとのマッピング関係であることと、
前記第１ＱｏＳフローの識別方式に基づき、前記第１ＤＲＢにおけるパケットに対応する前記第１ＱｏＳフローを確定することと、
前記第１ＤＲＢにベアラされるパケットを前記第１ＱｏＳフローにマッピングすることと、を含み、
第１データ無線ベアラ（ＤＲＢ）にベアラされるパケットに対応する第１サービス品質（ＱｏＳ）フローの識別方式を確定することは、
前記第１マッピング関係内において、複数のＱｏＳフローが１つのＤＲＢに対応する場合、前記端末装置は、１つのＤＲＢに対応するＱｏＳフローの数に基づいて前記第１ＱｏＳフローの識別方式を確定することを含み、
前記端末装置が、１つのＤＲＢに対応するＱｏＳフローの数に基づいて前記第１ＱｏＳフローの識別方式を確定することは、
前記第１マッピング関係内において、各ＤＲＢに対応するＱｏＳフローの数が同じ又は異なるである場合、前記端末装置は、前記第１ＤＲＢに対応するＱｏＳフローの数に基づいて前記第１ＱｏＳフローの識別方式を確定することを含み、
前記第１マッピング関係内において、各ＤＲＢに対応するＱｏＳフローの数が同じ又は異なるである場合、前記端末装置が、前記第１ＤＲＢに対応するＱｏＳフローの数に基づいて前記第１ＱｏＳフローの識別方式を確定することは、
前記第１ＤＲＢに対応するＱｏＳフローの数が所定の第１数閾値より小さい場合、第２識別方式で前記第１ＱｏＳフローを識別することを確定し、前記第２識別方式が、前記第１ＤＲＢに対応するＱｏＳフローの数に基づき、特定ビット数の識別情報を確定し、前記特定ビット数の識別情報によって前記第１ＱｏＳフローを識別する方式であり、
前記第１ＤＲＢに対応するＱｏＳフローの数が前記所定の第１数閾値より大きい場合、第３識別方式で前記第１ＱｏＳフローを識別することを確定し、前記第３識別方式が前記第１ＱｏＳフローのＱｏＳフロー識別子（ＩＤ）で前記第１ＱｏＳフローを識別する方式であることを含むことを特徴とする、前記アップリンク伝送方法。
【請求項６】
前記方法は、更に、
前記ネットワーク機器は、第１マッピング関係を確定することを含み、
前記ネットワーク機器が第１マッピング関係を確定することは、
ミラーマッピング後の第２マッピング関係を前記第１マッピング関係として確定し、前記第２マッピング関係がダウンリンクデータマッピングのためのＤＲＢとＱｏＳフローとのマッピング関係であることを含むことを特徴とする
請求項５に記載の方法。
【請求項７】
端末装置であって、
第１マッピング関係に基づき、第１データ無線ベアラ（ＤＲＢ）にベアラされるパケットに対応する第１サービス品質（ＱｏＳ）フローの識別方式を確定することに用いられ、前記第１マッピング関係がＱｏＳフローとＤＲＢとのマッピング関係である確定モジュールと、
前記第１ＱｏＳフローの識別方式に基づき、前記第１ＤＲＢにベアラされる前記パケットに対応する前記第１ＱｏＳフローを識別するための識別モジュールと、
前記第１ＤＲＢによってネットワーク機器へ前記第１ＱｏＳフローの識別情報を含む前記パケットを送信するための通信モジュールと、を備え、
前記確定モジュールは、更に、前記第１マッピング関係内において、複数のＱｏＳフローが１つのＤＲＢに対応し、各ＤＲＢに対応するＱｏＳフローの数が同じ又は異なるである場合、前記第１ＤＲＢに対応するＱｏＳフローの数に基づいて前記第１ＱｏＳフローの識別方式を確定することに用いられ、
前記確定モジュールは、更に、前記第１ＤＲＢに対応するＱｏＳフローの数が所定の第１数閾値より小さい場合、第２識別方式で前記第１ＱｏＳフローを識別することを確定し、前記第２識別方式が、前記第１ＤＲＢに対応するＱｏＳフローの数に基づき、特定ビット数の識別情報を確定し、前記特定ビット数の識別情報によって前記第１ＱｏＳフローを識別する方式であり、
前記第１ＤＲＢに対応するＱｏＳフローの数が前記所定の第１数閾値より大きい場合、第３識別方式で前記第１ＱｏＳフローを識別することを確定することに用いされ、前記第３識別方式が前記第１ＱｏＳフローのＱｏＳフロー識別子（ＩＤ）で前記第１ＱｏＳフローを識別する方式であることを特徴とする、前記端末装置。
【請求項８】
前記確定モジュールは、更に、
前記第１マッピング関係を確定することに用いられることを特徴とする
請求項７に記載の端末装置。
【請求項９】
前記通信モジュールは、更に、
前記ネットワーク機器から送信された、前記ネットワーク機器が前記第１マッピング関係を前記端末装置に設定するための上位レイヤシグナリングを受信することに用いられ、
前記確定モジュールは、更に、
前記上位レイヤシグナリングに基づいて前記第１マッピング関係を確定することに用いられることを特徴とする
請求項８に記載の端末装置。
【請求項１０】
前記通信モジュールは、更に、
ネットワーク機器から送信された、第２マッピング関係に基づいて前記第１マッピング関係を確定するように前記端末装置に指示するための上位レイヤシグナリングを受信することに用いられ、前記第２マッピング関係がダウンリンクデータマッピングのためのＤＲＢとＱｏＳフローとのマッピング関係であり、
前記確定モジュールは、具体的に、
ミラーマッピング後の前記第２マッピング関係を前記第１マッピング関係として確定することに用いられることを特徴とする
請求項８に記載の端末装置。
【請求項１１】
前記通信モジュールは、更に、
ネットワーク機器から送信された第３マッピング関係を受信することに用いられ、前記第３マッピング関係が、前記第２識別方式を用いた場合における前記特定ビット数の識別情報とＱｏＳフローとの対応関係を含むことを特徴とする
請求項７に記載の端末装置。
【請求項１２】
前記第１マッピング関係内において、少なくとも２つのＤＲＢが異なる数のＱｏＳフローに対応する場合、前記通信モジュールは、更に、
ネットワーク機器の指示情報を受信することに用いられ、前記指示情報が、前記第１ＤＲＢに対応するＱｏＳフローの数に基づいて前記第１ＱｏＳフローの識別方式を確定するように前記端末装置に指示することに用いられることを特徴とする
請求項７〜１１のいずれか１項に記載の端末装置。
【請求項１３】
ネットワーク機器であって、
端末装置が第１データ無線ベアラ（ＤＲＢ）によって送信したパケットを受信するための通信モジュールと、
第１マッピング関係に基づき、前記パケットに対応する第１サービス品質（ＱｏＳ）フローの識別方式を確定し、前記第１ＱｏＳフローの識別方式に基づき、前記第１ＤＲＢにおけるパケットに対応する前記第１ＱｏＳフローを確定することに用いられ、前記第１マッピング関係がＱｏＳフローとＤＲＢとのマッピング関係である確定モジュールと、を備え、
前記確定モジュールは、前記第１マッピング関係内において、複数のＱｏＳフローが１つのＤＲＢに対応し、各ＤＲＢに対応するＱｏＳフローの数が同じ又は異なるである場合、前記第１ＤＲＢに対応するＱｏＳフローの数に基づいて前記第１ＱｏＳフローの識別方式を確定することに用いられ、
前記確定モジュールは、更に、前記第１ＤＲＢに対応するＱｏＳフローの数が所定の第１数閾値より小さい場合、第２識別方式で前記第１ＱｏＳフローを識別することを確定し、前記第２識別方式が、前記第１ＤＲＢに対応するＱｏＳフローの数に基づき、特定ビット数の識別情報を確定し、前記特定ビット数の識別情報によって前記第１ＱｏＳフローを識別する方式であり、
前記第１ＤＲＢに対応するＱｏＳフローの数が前記所定の第１数閾値より大きい場合、第３識別方式で前記第１ＱｏＳフローを識別することを確定することに用いされ、前記第３識別方式が前記第１ＱｏＳフローのＱｏＳフロー識別子（ＩＤ）で前記第１ＱｏＳフローを識別する方式であり、
前記通信モジュールは、更に、前記第１ＤＲＢにベアラされるパケットを前記第１ＱｏＳフローにマッピングすることに用いられることを特徴とする、前記ネットワーク機器。
【請求項１４】
前記確定モジュールは、更に、ミラーマッピング後の第２マッピング関係を前記第１マッピング関係として確定することに用いられ、前記第２マッピング関係がダウンリンクデータマッピングのためのＤＲＢとＱｏＳフローとのマッピング関係であることを特徴とする
請求項１３に記載のネットワーク装置。
【請求項１５】
コンピュータプログラム命令が記憶されているコンピュータ記憶媒体であって、
前記コンピュータプログラム命令がプロセッサによって実行されるとき、プロセッサに、請求項１〜６のいずれか一項に記載の方法を実行させることを特徴とする、前記コンピュータ記憶媒体。
【発明の詳細な説明】
【技術分野】
【０００１】
本願は通信分野に関し、且つより具体的に、アップリンク伝送方法、端末装置及びネットワーク機器に関する。
【背景技術】
【０００２】
新無線（ＮＲ：Ｎｅｗ  Ｒａｄｉｏ）システムにおいて、データ無線ベアラ（ＤＲＢ：Ｄａｔａ  Ｒａｄｉｏ  Ｂｅａｒｅｒ）は、パケットのエアインターフェースにおける伝送パラメータの構成を定義したが、該伝送パラメータの構成によって、ＤＲＢにベアラされるサービスのサービス品質（ＱｏＳ：Ｑｕａｌｉｔｙ  ｏｆ  ｓｅｒｖｉｃｅ）を保証することができ、即ち、どの方式で伝送してＤＲＢに要求されるＱｏＳを満たすことができるかとのことであり、ダウンリンク伝送に対して、アクセスネットワークは、ＱｏＳフロー（ｆｌｏｗ）識別子（ＩＤ：Ｉｄｅｎｔｉｔｙ）に基づいて異なるＱｏＳ  ｆｌｏｗをＤＲＢにマッピングし、アップリンク伝送に対して、端末装置は、ＤＲＢにベアラされるデータのマッピングするＱｏＳ  ｆｌｏｗをどのように識別するかは研究する必要がある問題である。
【発明の概要】
【発明が解決しようとする課題】
【０００３】
本願の実施例はＤＲＢにベアラされるデータのマッピングするＱｏＳフローを識別することのできるアップリンク伝送方法、端末装置及びネットワーク機器を提供する。
【課題を解決するための手段】
【０００４】
第１態様に係るアップリンク伝送方法であって、端末装置は、第１マッピング関係に基づき、第１データ無線ベアラ（ＤＲＢ）にベアラされるパケットに対応する第１サービス品質（ＱｏＳ）フローの識別方式を確定し、前記第１マッピング関係がＱｏＳフローとＤＲＢとのマッピング関係であることと、前記第１ＱｏＳフローの識別方式に基づき、前記第１ＤＲＢにベアラされる前記パケットに対応する前記第１ＱｏＳフローを識別することと、前記第１ＤＲＢによってネットワーク機器へ識別後の前記パケットを送信することと、を含む。
【０００５】
第１態様を参照して、第１態様のいくつかの実現方式では、前記第１マッピング関係内において、ＱｏＳフローとＤＲＢが１対１に対応し、又は、複数のＱｏＳフローが１つのＤＲＢに対応する。
【０００６】
第１態様を参照して、第１態様のいくつかの実現方式では、前記方法は、更に、
前記端末装置は、前記第１マッピング関係を確定することを含む。
【０００７】
第１態様を参照して、第１態様のいくつかの実現方式では、前記端末装置が、前記第１マッピング関係を確定することは、
前記端末装置は、前記ネットワーク機器から送信された、前記ネットワーク機器が前記第１マッピング関係を前記端末装置に設定するための上位レイヤシグナリングを受信することと、
前記上位レイヤシグナリングに基づいて前記第１マッピング関係を確定することと、を含む。
【０００８】
第１態様を参照して、第１態様のいくつかの実現方式では、前記端末装置が、前記第１マッピング関係を確定することは、
前記端末装置は、ネットワーク機器から送信された、第２マッピング関係に基づいて前記第１マッピング関係を確定するように前記端末装置に指示するための上位レイヤシグナリングを受信し、前記第２マッピング関係がダウンリンクデータマッピングのためのＤＲＢとＱｏＳフローとのマッピング関係であることと、
前記端末装置は、ミラーマッピング後の前記第２マッピング関係を前記第１マッピング関係として確定することと、を含む。
【０００９】
第１態様を参照して、第１態様のいくつかの実現方式では、前記端末装置が、第１マッピング関係に基づき、第１データ無線ベアラ（ＤＲＢ）におけるパケットに対応する第１サービス品質（ＱｏＳ）フローの識別方式を確定することは、
前記第１マッピング関係内において、ＱｏＳフローとＤＲＢが１対１に対応する場合、前記端末装置は、第１識別方式で前記第１ＱｏＳフローを識別することを確定し、前記第１識別方式が、ゼロビットの識別情報を用いて前記第１ＤＲＢにおけるパケットに対応する前記第１ＱｏＳフローを識別する方式であり、又は
前記第１マッピング関係内において、複数のＱｏＳフローが１つのＤＲＢに対応する場合、前記端末装置は、１つのＤＲＢに対応するＱｏＳフローの数に基づいて前記第１ＱｏＳフローの識別方式を確定することを含む。
【００１０】
第１態様を参照して、第１態様のいくつかの実現方式では、前記端末装置が、１つのＤＲＢに対応するＱｏＳフローの数に基づいて前記第１ＱｏＳフローの識別方式を確定することは、
前記第１マッピング関係内において、各ＤＲＢに対応するＱｏＳフローの数が同じである場合、前記端末装置は、前記第１ＤＲＢに対応するＱｏＳフローの数に基づいて前記第１ＱｏＳフローの識別方式を確定し、又は
前記第１マッピング関係内において、少なくとも２つのＤＲＢに対応するＱｏＳフローの数が異なる場合、前記端末装置は、前記第１ＤＲＢに対応するＱｏＳフローの数に基づいて前記第１ＱｏＳフローの識別方式を確定し、又は
前記第１マッピング関係内において、少なくとも２つのＤＲＢに対応するＱｏＳフローの数が異なる場合、前記端末装置は、前記第２ＤＲＢに対応するＱｏＳフローの数に基づいて前記第１ＱｏＳフローの識別方式を確定し、前記第２ＤＲＢが前記第１マッピング関係内において対応するＱｏＳフローの数の最も多いＤＲＢであることを含む。
【００１１】
第１態様を参照して、第１態様のいくつかの実現方式では、前記端末装置が、前記第１ＤＲＢに対応するＱｏＳフローの数に基づいて前記第１ＱｏＳフローの識別方式を確定することは、
前記第１ＤＲＢに対応するＱｏＳフローの数が所定の第１数閾値より小さい場合、第２識別方式で前記第１ＱｏＳフローを識別することを確定し、前記第２識別方式が、前記第１ＤＲＢに対応するＱｏＳフローの数に基づき、特定ビット数の識別情報を確定し、前記特定ビット数の識別情報によって前記第１ＱｏＳフローを識別する方式であり、又は
前記第１ＤＲＢに対応するＱｏＳフローの数が前記所定の第１数閾値より大きい場合、第３識別方式で前記第１ＱｏＳフローを識別することを確定し、前記第３識別方式が前記第１ＱｏＳフローのＱｏＳフロー識別子（ＩＤ）で前記第１ＱｏＳフローを識別する方式であることを含む。
【００１２】
第１態様を参照して、第１態様のいくつかの実現方式では、前記端末装置が、前記第２ＤＲＢに対応するＱｏＳフローの数に基づいて前記第１ＱｏＳフローの識別方式を確定することは、
前記第２ＤＲＢに対応するＱｏＳフローの数が所定の第２数閾値より小さい場合、第４識別方式で前記第１ＱｏＳフローを識別することを確定し、前記第４識別方式が、前記第２ＤＲＢに対応するＱｏＳフローの数に基づき、特定ビット数の識別情報を確定し、前記特定ビット数の識別情報によって前記第１ＱｏＳフローを識別する方式であり、又は
前記第２ＤＲＢに対応するＱｏＳフローの数が前記所定の第２数閾値より大きい場合、第５識別方式で前記第１ＱｏＳフローを識別することを確定し、前記第５識別方式が前記第１ＱｏＳフローのＱｏＳフロー識別子（ＩＤ）で前記第１ＱｏＳフローを識別する方式であることを含む。
【００１３】
第１態様を参照して、第１態様のいくつかの実現方式では、前記方法は、更に、
前記端末装置は、ネットワーク機器から送信された第３マッピング関係を受信し、前記第３マッピング関係が、前記第２識別方式又は前記第４識別方式を用いた場合における前記特定ビット数の識別情報とＱｏＳフローとの対応関係を含むことを含む。
【００１４】
第１態様を参照して、第１態様のいくつかの実現方式では、前記第１マッピング関係内において、少なくとも２つのＤＲＢが異なる数のＱｏＳフローに対応する場合、前記方法は、更に、
前記端末装置は、ネットワーク機器の指示情報を受信し、前記指示情報が、前記第１ＤＲＢに対応するＱｏＳフローの数又は前記第２ＤＲＢに対応するＱｏＳフローの数に基づいて前記第１ＱｏＳフローの識別方式を確定するように前記端末装置に指示することに用いられることを含む。
【００１５】
第２態様に係るアップリンク伝送方法であって、ネットワーク機器は、端末装置が第１データ無線ベアラ（ＤＲＢ）によって送信したパケットを受信することと、
第１マッピング関係に基づき、前記パケットに対応する第１サービス品質（ＱｏＳ）フローの識別方式を確定し、前記第１マッピング関係がＱｏＳフローとＤＲＢとのマッピング関係であることと、
前記第１ＱｏＳフローの識別方式に基づき、前記第１ＤＲＢにおけるパケットに対応する前記第１ＱｏＳフローを確定することと、
前記第１ＤＲＢにベアラされるパケットを前記第１ＱｏＳフローにマッピングすることと、を含む。
【００１６】
第２態様を参照して、第２態様のいくつかの実現方式では、前記第１マッピング関係内において、ＱｏＳフローとＤＲＢが１対１に対応し、又は、複数のＱｏＳフローが１つのＤＲＢに対応する。
【００１７】
第２態様を参照して、第２態様のいくつかの実現方式では、前記方法は、更に、
前記ネットワーク機器が第１マッピング関係を確定することを含む。
【００１８】
第２態様を参照して、第２態様のいくつかの実現方式では、前記ネットワーク機器が第１マッピング関係を確定することは、
ミラーマッピング後の第２マッピング関係を前記第１マッピング関係として確定し、前記第２マッピング関係がダウンリンクデータマッピングのためのＤＲＢとＱｏＳフローとのマッピング関係であることを含む。
【００１９】
第２態様を参照して、第２態様のいくつかの実現方式では、前記第１マッピング関係に基づき、前記パケットに対応する第１サービス品質（ＱｏＳ）フローの識別方式を確定することは、
前記第１マッピング関係内において、ＱｏＳフローとＤＲＢが１対１に対応する場合、前記ネットワーク機器は、前記端末装置が前記第１ＱｏＳフローを識別するのが第１識別方式を使用していることを確定し、前記第１識別方式が、ゼロビットの識別情報を用いて前記第１ＤＲＢにおけるパケットに対応する前記第１ＱｏＳフローを識別する方式であることを含み、
前記第１ＱｏＳフローの識別方式が前記第１ＤＲＢにおけるパケットに対応する前記第１ＱｏＳフローを確定することは、
前記ネットワーク機器は、前記第１ＤＲＢ及び前記第１マッピング関係に基づいて前記第１ＤＲＢに対応するＱｏＳフローを前記第１ＱｏＳフローとして確定することを含む。
【００２０】
第２態様を参照して、第２態様のいくつかの実現方式では、前記第１マッピング関係に基づき、前記パケットに対応する第１サービス品質（ＱｏＳ）フローの識別方式を確定することは、
前記第１マッピング関係内において、各ＤＲＢに対応するＱｏＳフローの数が同じである場合、前記ネットワーク機器は、前記第１ＤＲＢに対応するＱｏＳフローの数に基づいて前記第１ＱｏＳフローの識別方式を確定し、又は
前記第１マッピング関係内において、少なくとも２つのＤＲＢに対応するＱｏＳフローの数が異なる場合、前記ネットワーク機器は、前記第１ＤＲＢに対応するＱｏＳフローの数に基づいて前記第１ＱｏＳフローの識別方式を確定し、又は
前記第１マッピング関係内において、少なくとも２つのＤＲＢに対応するＱｏＳフローの数が異なる場合、前記ネットワーク機器は、前記第２ＤＲＢに対応するＱｏＳフローの数に基づいて前記第１ＱｏＳフローの識別方式を確定し、前記第２ＤＲＢが前記第１マッピング関係内において対応するＱｏＳフローの数の最も多いＤＲＢであることを含む。
【００２１】
第２態様を参照して、第２態様のいくつかの実現方式では、前記ネットワーク機器が、前記第１ＤＲＢに対応するＱｏＳフローの数に基づいて前記第１ＱｏＳフローの識別方式を確定することは、
前記第１ＤＲＢに対応するＱｏＳフローの数が所定の第１数閾値より小さい場合、前記端末装置が前記第１ＱｏＳフローを識別するのが第２識別方式を使用していることを確定し、前記第２識別方式が、前記第１ＤＲＢに対応するＱｏＳフローの数に基づき、特定ビット数の識別情報を確定し、前記特定ビット数の識別情報によって前記第１ＱｏＳフローを識別する方式であり、又は
前記第１ＤＲＢに対応するＱｏＳフローの数が前記所定の第１数閾値より大きい場合、第３識別方式で前記第１ＱｏＳフローを識別することを確定し、前記第３識別方式が前記第１ＱｏＳフローのＱｏＳフロー識別子（ＩＤ）で前記第１ＱｏＳフローを識別する方式であることを含み、
前記第１ＱｏＳフローの識別方式が前記第１ＤＲＢにおけるパケットに対応する前記第１ＱｏＳフローを確定することは、
前記ネットワーク機器は、特定ビット数の識別情報又は前記第１ＱｏＳフローのＱｏＳフローＩＤに基づいて前記第１ＱｏＳフローを確定することを含む。
【００２２】
第２態様を参照して、第２態様のいくつかの実現方式では、前記ネットワーク機器が、前記第２ＤＲＢに対応するＱｏＳフローの数に基づいて前記第１ＱｏＳフローの識別方式を確定することは、
前記第２ＤＲＢに対応するＱｏＳフローの数が所定の第２数閾値より小さい場合、第４識別方式で前記第１ＱｏＳフローを識別することを確定し、前記第４識別方式が、前記第２ＤＲＢに対応するＱｏＳフローの数に基づき、特定ビット数の識別情報を確定し、前記特定ビット数の識別情報によって前記第１ＱｏＳフローを識別する方式であり、又は
前記第２ＤＲＢに対応するＱｏＳフローの数が前記所定の第２数閾値より大きい場合、第５識別方式で前記第１ＱｏＳフローを識別することを確定し、前記第５識別方式が前記第１ＱｏＳフローのＱｏＳフロー識別子（ＩＤ）で前記第１ＱｏＳフローを識別する方式であることを含み、
前記第１ＱｏＳフローの識別方式が前記第１ＤＲＢにおけるパケットに対応する前記第１ＱｏＳフローを確定することは、
前記ネットワーク機器は、前記特定ビット数の識別情報又は前記第１ＱｏＳフローのＱｏＳフローＩＤに基づいて前記第１ＱｏＳフローを確定することを含む。
【００２３】
第２態様を参照して、第２態様のいくつかの実現方式では、前記ネットワーク機器が前記端末装置へ第３マッピング関係を送信し、前記第３マッピング関係が前記第２識別方式又は前記第４識別方式を用いた場合における前記特定ビット数の識別情報とＱｏＳフローとの対応関係を含む。
【００２４】
第２態様を参照して、第２態様のいくつかの実現方式では、前記第１マッピング関係内において、少なくとも２つのＤＲＢが異なる数のＱｏＳフローに対応する場合、前記方法は、更に、
前記ネットワーク機器は、指示情報を前記端末装置に送信し、前記指示情報が、前記第１ＤＲＢに対応するＱｏＳフローの数又は前記第２ＤＲＢに対応するＱｏＳフローの数に基づいて前記第１ＱｏＳフローの識別方式を確定するように前記端末装置に指示することに用いられることを含む。
【００２５】
第３態様に係る端末装置であって、第１態様又はその様々な実現方式における方法を実行するためのユニットを備える。
【００２６】
第４態様に係るネットワーク機器であって、第２態様又はその様々な実現方式における方法を実行するためのユニットを備える。
【００２７】
第５態様に係る端末装置であって、メモリ、プロセッサ及び送受信機を備え、前記メモリはプログラムを記憶することに用いられ、前記プロセッサはプログラムを実行することに用いられ、前記プログラムが実行されるとき、前記プロセッサは前記送受信機によって第１態様における方法を実行する。
【００２８】
第６態様に係るネットワーク機器であって、メモリ、プロセッサ及び送受信機を備え、前記メモリはプログラムを記憶することに用いられ、前記プロセッサはプログラムを実行することに用いられ、前記プログラムが実行されるとき、前記プロセッサは前記送受信機によって第２態様における方法を実行する。
【００２９】
第７態様に係るコンピュータ可読媒体であって、前記コンピュータ可読媒体には端末装置が実行するためのプログラムコードが記憶され、前記プログラムコードは第１態様における方法を実行するための命令を含む。
【００３０】
第８態様に係るコンピュータ可読媒体であって、前記コンピュータ可読媒体には端末装置が実行するためのプログラムコードが記憶され、前記プログラムコードは第２態様における方法を実行するための命令を含む。
【図面の簡単な説明】
【００３１】
【図１】図１は本願の実施例に係る無線通信システムの模式図である。
【図２】図２は本願の実施例に係るアップリンク伝送方法の模式的なフローチャートである。
【図３】図３は本願の他の実施例に係るアップリンク伝送方法の模式的なフローチャートである。
【図４】図４は本願の実施例に係る端末装置の模式的なブロック図である。
【図５】図５は本願の実施例に係るネットワーク機器の模式的なブロック図である。
【図６】図６は本願の他の実施例に係る端末装置の模式的なブロック図である。
【図７】図７は本願の他の実施例に係るネットワーク機器の模式的なブロック図である。
【発明を実施するための形態】
【００３２】
以下、図面を参照しながら本願の実施例の技術案を説明する。
【００３３】
本明細書における用語「システム」と「ネットワーク」が常に交互に使用されると理解すべきである。本明細書における用語「及び／又は」は、関連オブジェクトを説明する関連関係に過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」関係であることを示す。
【００３４】
本願の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は将来の５Ｇシステム等に適用されてもよい。
【００３５】
図１には本願の実施例に適用される無線通信システム１００を示す。該無線通信システム１００はネットワーク機器１１０を備えてもよい。ネットワーク機器１１０は端末装置と通信する機器であってもよい。ネットワーク機器１１０は特定の地理的領域に通信カバレッジを提供することができ、且つ該カバレッジ領域内の端末装置（例えば、ＵＥ）と通信することができる。好ましくは、該ネットワーク機器１００はＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける発展型基地局（ｅＮＢ又はｅＮｏｄｅＢ：Ｅｖｏｌｕｔｉｏｎａｌ  Ｎｏｄｅ  Ｂ）、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線コントローラであってもよく、又は、該ネットワーク機器は中継所、アクセスポイント、車載装置、ウェアラブル端末、将来の５Ｇネットワークにおけるネットワーク側機器又は将来発展する公衆陸上移動網（ＰＬＭＮ：Ｐｕｂｌｉｃ  Ｌａｎｄ  Ｍｏｂｉｌｅ  Ｎｅｔｗｏｒｋ）におけるネットワーク機器等であってもよい。
【００３６】
該無線通信システム１００は更にネットワーク機器１１０のカバレッジ範囲内の少なくとも１つの端末装置１２０を備える。端末装置１２０は可動又は固定であってもよい。好ましくは、端末装置１２０はアクセス端末、ユーザー装置（ＵＥ：Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、将来の５Ｇネットワークにおける端末装置又は将来発展するＰＬＭＮにおける端末装置等であってもよい。
【００３７】
好ましくは、端末装置１２０同士が装置対装置（Ｄ２Ｄ：Ｄｅｖｉｃｅ  ｔｏ  Ｄｅｖｉｃｅ）通信を行うことができる。
【００３８】
好ましくは、５Ｇシステム又はネットワークが更に新無線（ＮＲ：Ｎｅｗ  Ｒａｄｉｏ）システム又はネットワークと称されてもよい。
【００３９】
図１には１つのネットワーク機器及び２つの端末装置を例示的に示し、好ましくは、該無線通信システム１００は複数のネットワーク機器を備えてもよく、且つ各ネットワーク機器のカバレッジ範囲内に他の数の端末装置が含まれてもよく、本願の実施例は制限しない。
【００４０】
従来技術において、ダウンリンク伝送中に、ネットワーク機器が異なるＱｏＳフローを異なるＤＲＢにマッピングして伝送し、アップリンク伝送中に、ネットワーク機器がＤＲＢにおける伝送するパケットをどのＱｏＳフローにマッピングするかを把握するために、端末装置がパケットにＱｏＳフロー識別子（ＩＤ：Ｉｄｅｎｔｉｆｙ）を持っており、従って、エアインターフェースオーバーヘッドがより大きい。従って、本願の実施例はアップリンク伝送方法を提供し、端末装置はアップリンクデータをマッピングするための第１マッピング関係に基づき、ＤＲＢにベアラされるパケットに対応するＱｏＳフローを識別することができ、それによりエアインターフェースオーバーヘッドを削減することができる。
【００４１】
図２は本願の実施例に係るアップリンク伝送方法２００の模式的なフローチャートであり、前記方法２００が図１に示される無線通信システムにおける端末装置により実行されてもよく、図２に示すように、該方法２００は以下を含む。
【００４２】
Ｓ２１０において、端末装置は、第１マッピング関係に基づき、第１データ無線ベアラ（ＤＲＢ）にベアラされるパケットに対応する第１サービス品質（ＱｏＳ）フローの識別方式を確定し、前記第１マッピング関係がＱｏＳフローとＤＲＢとのマッピング関係であり、
具体的に、前記第１マッピング関係内において、前記ＱｏＳフローとＤＲＢが１対１に対応し、又は、複数のＱｏＳフローが１つのＤＲＢに対応し、つまり、前記第１マッピング関係が１対１又は複数対１のマッピング関係であってもよい。前記端末装置は第１ＤＲＢによってネットワーク機器へパケットを送信し、前記パケットが第１ＱｏＳフローに対応し、前記端末装置は前記第１ＤＲＢにベアラされるパケットを第１ＱｏＳフローにマッピングすべきであることをネットワーク機器に通知する必要がある。そうすると前記端末装置は前記第１マッピング関係に基づき、前記第１ＱｏＳフローの識別方式を確定し、特定の識別方式で前記第１ＤＲＢにベアラされるパケットをどのＱｏＳフローにマッピングするかを前記ネットワーク機器に通知することができる。
【００４３】
好ましくは、いくつかの実施例では、前記端末装置が、第１マッピング関係に基づき、第１データ無線ベアラ（ＤＲＢ）におけるパケットに対応する第１サービス品質（ＱｏＳ）フローの識別方式を確定することは、
前記第１マッピング関係内において、ＱｏＳフローとＤＲＢが１対１に対応する場合、前記端末装置は、第１識別方式で前記第１ＱｏＳフローを識別することを確定し、前記第１識別方式が、ゼロビットの識別情報を用いて前記第１ＤＲＢにおけるパケットに対応する前記第１ＱｏＳフローを識別する方式であり、又は
前記第１マッピング関係内において、複数のＱｏＳフローが１つのＤＲＢに対応する場合、前記端末装置は、１つのＤＲＢに対応するＱｏＳフローの数に基づいて前記第１ＱｏＳフローの識別方式を確定することを含む。
【００４４】
具体的に、前記第１マッピング関係が１対１のマッピング関係であり、１つのＱｏＳフローが１つのＤＲＢに対応する場合、前記端末装置は前記パケットにＱｏＳフローの識別情報を含める必要がなく、つまり、前記パケットにＱｏＳフローの識別情報が含まれなくてもよく、前記ネットワーク機器は受信されたパケットに使用されるＤＲＢに基づき、前記第１マッピング関係を参照して、前記パケットに対応するＱｏＳフローを確定することができ、それにより前記パケットを対応するＱｏＳフローにマッピングすることができる。この場合、端末装置はパケットにＱｏＳフローの識別情報を含める必要がないため、エアインターフェースオーバーヘッドを削減することができる。具体的に、ネットワーク機器は前記パケットを受信した後、パケットにおけるＱｏＳフローの識別情報を取得することができ、前記パケットにＱｏＳフローの識別情報が含まれていないことを確定した場合、前記ネットワーク機器は、前記端末装置が前記第１ＱｏＳフローを識別するのが、第１識別方式を使用していることを確定でき、それにより前記ネットワーク機器は前記パケットが第１ＤＲＢにベアラされることを確定でき、そしてから前記第１マッピング関係を参照して、前記第１ＤＲＢに対応するＱｏＳフローを確定することができ、それにより前記パケットを前記第１ＤＲＢに対応するＱｏＳフローにマッピングすることができる。
【００４５】
好ましくは、前記第１マッピング関係内において、複数のＱｏＳフローが１つのＤＲＢに対応する場合、前記端末装置は１つのＤＲＢに対応するＱｏＳフローの数に基づいて前記第１ＱｏＳフローの識別方式を確定することができ、例えば、前記第１ＤＲＢに対応するＱｏＳフローの数に基づいて前記第１ＱｏＳフローの識別方式を確定することができ、又は、第２ＤＲＢに対応するＱｏＳフローの数に基づいて前記第１ＱｏＳフローの識別方式を確定することもでき、前記第２ＤＲＢが前記第１マッピング関係内において対応するＱｏＳフローの数の最も多いＤＲＢである。
【００４６】
好ましくは、いくつかの実施例では、前記端末装置が、１つのＤＲＢに対応するＱｏＳフローの数に基づいて前記第１ＱｏＳフローの識別方式を確定することは、
前記第１マッピング関係内において、各ＤＲＢに対応するＱｏＳフローの数が同じである場合、前記端末装置は、前記第１ＤＲＢに対応するＱｏＳフローの数に基づいて前記第１ＱｏＳフローの識別方式を確定し、又は
前記第１マッピング関係内において、少なくとも２つのＤＲＢに対応するＱｏＳフローの数が異なる場合、前記端末装置は、前記第１ＤＲＢに対応するＱｏＳフローの数に基づいて前記第１ＱｏＳフローの識別方式を確定し、又は
前記第１マッピング関係内において、少なくとも２つのＤＲＢに対応するＱｏＳフローの数が異なる場合、前記端末装置は、前記第２ＤＲＢに対応するＱｏＳフローの数に基づいて前記第１ＱｏＳフローの識別方式を確定し、前記第２ＤＲＢが前記第１マッピング関係内において対応するＱｏＳフローの数の最も多いＤＲＢであることを含む。
【００４７】
具体的に、前記第１マッピング関係内において、各ＤＲＢに対応するＱｏＳフローの数が同じである場合、前記端末装置は前記第１ＤＲＢに対応するＱｏＳフローの数に基づいて前記第１ＱｏＳフローの識別方式を確定することができる。又は、前記第１マッピング関係内において、少なくとも２つのＤＲＢに対応するＱｏＳフローの数が異なる場合、前記端末装置は前記第１ＤＲＢに対応するＱｏＳフローの数に基づいて前記第１ＱｏＳフローの識別方式を確定することができ、又は、前記端末装置は第２ＤＲＢに対応するＱｏＳフローの数に基づいて前記第１ＱｏＳフローの識別方式を確定することもでき、前記第２ＤＲＢが前記第１マッピング関係内において対応するＱｏＳフローの数の最も多いＤＲＢである。つまり、前記第１マッピング関係内において、少なくとも２つのＤＲＢに対応するＱｏＳフローの数が異なる場合、前記端末装置は各ＤＲＢに対応するＱｏＳフローの数に基づいて各ＤＲＢに対応するＱｏＳフローの識別方式を確定することができ、又は、前記第１マッピング関係内において第２ＤＲＢに対応するＱｏＳフローの数に基づいて各ＤＲＢに対応するＱｏＳフローの識別方式を確定することもできる。
【００４８】
例えば、前記第１マッピング関係内において、各ＤＲＢがいずれも２つのＱｏＳフローに対応し、つまり、前記第１マッピング関係が２対１のマッピング関係である場合、前記端末装置は１ビットの識別情報を用いて前記第１ＱｏＳフローを識別することを確定でき、例えば、前記第１ＤＲＢがＱｏＳフロー１及びＱｏＳフロー２に対応し、前記第１ＤＲＢに対応する１ビットの識別情報が０である場合、ＱｏＳフロー１を示し、１である場合、ＱｏＳフロー２を示すように設定することができ、ネットワーク機器はこのパケットを受信した後、前記パケットにおける識別情報を取得し、前記パケットを送信するために用いたものが第１ＤＲＢであることを確定し、そしてから第１ＤＲＢの場合における１ビットの識別情報とＱｏＳフローとの対応関係を参照して、前記パケットにおける識別情報が１である場合、前記端末装置は、前記第１ＤＲＢにおけるパケットをＱｏＳフロー２にマッピングすることを確定できる。又は、前記第１マッピング関係における各ＤＲＢがいずれも３つのＱｏＳフローに対応し、つまり、前記第１マッピング関係が３対１のマッピング関係である場合、前記端末装置は２ビットの識別情報を用いて第１ＱｏＳフローを識別することを確定でき、例えば、第１ＤＲＢがＱｏＳフロー１、ＱｏＳフロー２及びＱｏＳフロー３に対応し、前記２ビットの識別情報とＱｏＳフローとの対応関係を、００である場合、ＱｏＳフロー１を示し、０１である場合、ＱｏＳフロー２を示し、１０及び１１である場合、ＱｏＳフロー３を示すように設定することができる。
【００４９】
更に、例えば、前記第１マッピング関係内において、前記第１ＤＲＢに対応するＱｏＳフローの数が２であり、前記第２ＤＲＢに対応するＱｏＳフローの数が４である場合、前記端末装置は前記第１ＤＲＢに対応するＱｏＳフローの数に基づいて前記第１ＱｏＳフローの識別方式を確定することができ、例えば、１ビットの識別情報を用いて前記第１ＱｏＳフローを識別することができ、又は、前記第２ＤＲＢに対応するＱｏＳフローの数に基づいて前記第１ＱｏＳフローの識別方式を確定することもでき、例えば、２ビットの識別情報を用いて前記第１ＱｏＳフローを識別することができる。つまり、前記第１マッピング関係内において、少なくとも２つのＤＲＢに対応するＱｏＳフローの数が異なる場合、前記端末装置は各ＤＲＢに対応するＱｏＳフローの数に基づいて各ＤＲＢに対応するＱｏＳフローの識別方式を確定することができ、又は、前記第１マッピング関係内において第２ＤＲＢに対応するＱｏＳフローの数に基づいて各ＤＲＢに対応するＱｏＳフローの識別方式を確定することもできる。
【００５０】
好ましくは、いくつかの実施例では、前記端末装置が、前記第１ＤＲＢに対応するＱｏＳフローの数に基づいて前記第１ＱｏＳフローの識別方式を確定することは、
前記第１ＤＲＢに対応するＱｏＳフローの数が所定の第１数閾値より小さい場合、第２識別方式で前記第１ＱｏＳフローを識別することを確定し、前記第２識別方式が、前記第１ＤＲＢに対応するＱｏＳフローの数に基づき、特定ビット数の識別情報を確定し、前記特定ビット数の識別情報によって前記第１ＱｏＳフローを識別する方式であり、又は
前記第１ＤＲＢに対応するＱｏＳフローの数が前記所定の第１数閾値より大きい場合、第３識別方式で前記第１ＱｏＳフローを識別することを確定し、前記第３識別方式が前記第１ＱｏＳフローのＱｏＳフロー識別子（ＩＤ）で前記第１ＱｏＳフローを識別する方式であることを含む。
【００５１】
具体的に、第１ＤＲＢが複数のＱｏＳフローに対応し、前記第１ＱｏＳフローが前記複数のＱｏＳフローのうちの１つである場合、前記端末装置は前記第１ＤＲＢに対応する前記複数のＱｏＳフローの数と所定の第１数閾値との関係に基づき、前記第１ＱｏＳフローの識別方式を確定することができ、例えば、前記複数のＱｏＳフローの数が所定の第１数閾値より小さいとき、第２識別方式で前記第１ＱｏＳフローを識別することを確定し、つまり、特定ビット数の識別情報を用いて前記第１ＱｏＳフローを識別することができ、前記識別情報のビット数が前記第１ＤＲＢに対応するＱｏＳフローの数によって確定されてもよく、つまり、前記複数のＱｏＳフローの数によって確定されてもよく、例えば、前記第１ＤＲＢが２つのＱｏＳフローに対応する場合、１ビットの識別情報を用いることを確定でき、又は、前記第１ＤＲＢが３つのＱｏＳフローに対応する場合、２ビットの識別情報を用いることを確定でき、又は、第１ＤＲＢが５つのＱｏＳフローに対応する場合、３ビットの識別情報を用いることを確定でき、又は、ＤＲＢが７つのＱｏＳに対応する場合、３ビットの識別情報を用いることを確定できる。好ましくは、前記第１ＤＲＢに対応するＱｏＳフローの数が所定の第１数閾値より大きい場合、第３識別方式で前記第１ＱｏＳフローを識別することを確定し、つまり、前記端末装置が前記第１ＱｏＳフローのＱｏＳフロー識別子（ＩＤ）で前記第１ＱｏＳフローを直接識別し、例えば、前記第１数閾値が８であってもよく、１つのＤＲＢに対応するＱｏＳフローの数が８より大きい場合、少なくとも４ビットの識別情報によって前記ＱｏＳフローを識別する必要があり、ＱｏＳフローのＩＤで前記ＱｏＳフローを直接識別することに比べて、少なくとも４ビットの識別情報のエアインターフェースオーバーヘッドに対する削減効果が低く、従って、ＱｏＳフローのＩＤで前記第１ＱｏＳフローを直接識別することができる。
【００５２】
それに対応して、前記ネットワーク機器は端末装置が第１ＤＲＢによって送信したパケットを受信することができ、ネットワーク機器は上記方法に基づき、端末装置がどの識別方式で前記パケットに対応するＱｏＳフローを識別するかを確定することもでき、そしてから前記ネットワーク機器は前記第１ＱｏＳフローの識別方式に基づき、前記第１ＤＲＢにベアラされるデータに対応する第１ＱｏＳフローを確定することができる。例えば、前記ネットワーク機器が、前記端末装置が前記第１ＱｏＳフローを識別するのが第１識別方式を使用していることを確定する場合、前記ネットワーク機器は前記パケットを受信した後、前記パケットが第１ＤＲＢにベアラされることを確定でき、そしてから前記第１マッピング関係を参照して、前記第１ＤＲＢに対応するＱｏＳフローを確定することができ、それにより前記第１ＤＲＢにベアラされるパケットを前記第１ＤＲＢに対応するＱｏＳフローにマッピングすることができる。更に、例えば、前記ネットワーク機器は、前記端末装置が前記第１ＱｏＳフローを識別するのが第２識別情報を使用していることを確定する場合、前記ネットワーク機器は前記パケットを受信した後、前記パケットにおける特定ビット数の識別情報を取得し、前記特定ビット数の識別情報に基づき、前記パケットに対応するＱｏＳフローを確定することができ、具体的に、前記ネットワーク機器は端末装置が前記パケットを送信するために用いたＤＲＢに基づき、前記特定ビット数の識別情報とＱｏＳフローとの対応関係を参照して、前記パケットをどのＱｏＳフローにマッピングすべきかを確定することができる。好ましくは、第２識別方式において、前記特定ビット数の識別情報とＱｏＳフローとの対応関係はネットワーク機器が前記端末装置に設定したものであってもよく、それにより前記端末装置は前記対応関係に基づいて前記特定ビット数の識別情報を記入することができ、前記ネットワーク機器は前記対応関係に基づき、前記特定ビット数の識別情報に対応するＱｏＳフローを解析することができる。
【００５３】
好ましくは、いくつかの実施例では、前記端末装置が、前記第２ＤＲＢに対応するＱｏＳフローの数に基づいて前記第１ＱｏＳフローの識別方式を確定することは、
前記第２ＤＲＢに対応するＱｏＳフローの数が所定の第２数閾値より小さい場合、第４識別方式で前記第１ＱｏＳフローを識別することを確定し、前記第４識別方式が、前記第２ＤＲＢに対応するＱｏＳフローの数に基づき、特定ビット数の識別情報を確定し、前記特定ビット数の識別情報によって前記第１ＱｏＳフローを識別する方式であり、又は
前記第２ＤＲＢに対応するＱｏＳフローの数が前記所定の第２数閾値より大きい場合、第５識別方式で前記第１ＱｏＳフローを識別することを確定し、前記第５識別方式が前記第１ＱｏＳフローのＱｏＳフロー識別子（ＩＤ）で前記第１ＱｏＳフローを識別する方式であることを含む。
【００５４】
具体的に、端末装置が、前記第２ＤＲＢに対応するＱｏＳフローの数に基づいて前記第１ＱｏＳフローの識別方式を確定することは、端末装置は、前記第１ＤＲＢに対応するＱｏＳフローの数に基づいて前記第１ＱｏＳフローの識別方式を確定する関連説明を参照してもよく、簡潔のため、ここで詳細な説明は省略する。
【００５５】
好ましくは、いくつかの実施例では、前記方法は、更に、
前記端末装置は、ネットワーク機器から送信された第３マッピング関係を受信し、前記第３マッピング関係が、前記第２識別方式又は前記第４識別方式を用いた場合における前記特定ビット数の識別情報とＱｏＳフローとの対応関係を含むことを含む。
【００５６】
つまり、端末装置が第２識別方式又は第４識別方式で前記第１ＱｏＳフローを識別し、つまり、前記端末装置が特定ビット数の識別情報を用いて前記第１ＱｏＳフローを識別する場合、前記特定ビット数の識別情報とＱｏＳフローとの対応関係はネットワーク機器が前記端末装置に設定したものであってもよく、つまり、前記特定ビット数の識別情報の具体的な内容がどのＱｏＳフローに対応するかはネットワーク機器が前記端末装置に設定したものであってもよく、同様に、前記ネットワーク機器は前記対応関係に基づき、前記パケットに含まれる前記特定ビット数の識別情報を解析することもできる。例えば、前記端末装置が２ビットの識別情報を用いてＱｏＳフローを識別する場合、前記ネットワーク機器が前記端末装置に予め設定した前記対応関係は、００である場合、ＱｏＳフロー１を示し、０１である場合、ＱｏＳフロー２を示し、１０である場合、ＱｏＳフロー３を示すことであってもよく、それによりネットワーク機器は前記パケットを受信した後、前記パケットにおける２ビットの識別情報を取得し、前記２ビットの識別情報が１０である場合、前記ネットワーク機器は前記パケットをＱｏＳフロー３にマッピングすることを確定できる。
【００５７】
前記第１マッピング関係内において、各ＤＲＢに対応するＱｏＳフローの数が同じである場合、各ＤＲＢに対する前記特定ビット数の識別情報とＱｏＳフローとの対応関係が同じであってもよいし、異なってもよく、例えば、各ＤＲＢがいずれも２つのＱｏＳフローに対応する場合、各ＤＲＢに対応するＱｏＳフローを識別するための特定ビット数の識別情報（１ビットの識別情報）とＱｏＳフローとの対応関係が同じであってもよく、例えば、０でＱｏＳフロー１を示し、１でＱｏＳフロー２を示し、又は異なってもよく、例えば、ＤＲＢ１に対して、０でＱｏＳフロー１を示し、１でＱｏＳフロー２を示し、ＤＲＢ２に対して、０でＱｏＳフロー３を示し、１でＱｏＳフロー４を示すと理解すべきである。前記第１マッピング関係内において、少なくとも２つのＤＲＢに対応するＱｏＳフローの数が異なる場合、前記第３マッピング関係は各ＤＲＢに対する特定ビット数の識別情報とＱｏＳフローとの対応関係を含んでもよく、つまり、前記第３マッピング関係は各ＤＲＢに対応するＱｏＳフローを説明するための特定ビット数の識別情報と前記各ＤＲＢに対応するＱｏＳフローとの対応関係を含んでもよく、例えば、前記第１マッピング関係はＤＲＢ１、ＤＲＢ２及びＤＲＢ３を含み、ＤＲＢ１がＱｏＳフロー１及びＱｏＳフロー２に対応し、ＤＲＢ２がＱｏＳフロー３に対応し、ＤＲＢ３がＱｏＳフロー４、ＱｏＳフロー５及びＱｏＳフロー６に対応する場合、前記端末装置は第２識別方式で前記各ＤＲＢに対応するＱｏＳフローを識別することができ、又は、第４識別方式で前記各ＤＲＢに対応するＱｏＳフローを識別することもできる。前記端末装置が第２識別方式で各ＤＲＢに対応するＱｏＳフローを識別する場合、ＤＲＢ１に対応するＱｏＳフロー１及びＱｏＳフロー２が１ビットの識別情報によって識別されてもよく、ＤＲＢ２に対応するＱｏＳフロー３が１ビットの識別情報によって識別されてもよく、ＤＲＢ３に対応するＱｏＳフロー４、ＱｏＳフロー５及びＱｏＳフロー６が２ビットの識別情報によって識別されてもよく、そうすると前記第３マッピング関係は表１に示される内容を含んでもよい。
【表１】
0006980804.tif 000002
【００５８】
好ましくは、第４識別方式で各ＤＲＢに対応するＱｏＳフローを識別する場合、３つのＤＲＢのうちの対応するＱｏＳフローがＤＲＢ３であり、ＤＲＢ３に対応するＱｏＳフローの数に基づいて２ビットの識別情報を用いて各ＱｏＳフローを識別することを確定する場合、前記第３マッピング関係は表２に示されてもよい。
【表２】
0006980804.tif 000003
【００５９】
好ましくは、いくつかの実施例では、前記第１マッピング関係内において、少なくとも２つのＤＲＢが異なる数のＱｏＳフローに対応する場合、前記方法は、更に、
前記端末装置は、ネットワーク機器の指示情報を受信し、前記指示情報が、前記第１ＤＲＢに対応するＱｏＳフローの数又は前記第２ＤＲＢに対応するＱｏＳフローの数に基づいて前記第１ＱｏＳフローの識別方式を確定するように前記端末装置に指示することに用いられることを含む。
【００６０】
つまり、前記ネットワークは、前記端末装置が前記第１ＱｏＳフローを識別するのが、第２識別方式を使用するか、それとも第４識別方式を使用するかを設定することができる。
【００６１】
Ｓ２２０において、前記第１ＱｏＳフローの識別方式に基づき、前記第１ＤＲＢにベアラされるパケットに対応する前記第１ＱｏＳフローを識別し、
Ｓ２３０において、識別後の前記第１ＤＲＢにベアラされるパケットをネットワーク機器に送信する。
【００６２】
具体的に、前記端末装置は、第１識別方式で前記第１ＱｏＳフローを識別することを確定する場合、前記第１ＤＲＢにベアラされるパケットがゼロビットの識別情報を含み、つまり、前記第１ＱｏＳフローの識別情報を含まず、このように、ネットワーク機器はこのパケットを受信するとき、前記パケットが前記第１ＱｏＳフローの識別情報を含まないことを確定する場合、前記ネットワーク機器は前記端末装置が前記パケットを送信するために用いたＤＲＢに基づき、前記第１マッピング関係を参照して、前記パケットをどのＱｏＳフローにマッピングすべきかを確定する。前記ネットワーク機器に対して、前記第１マッピング関係は前記ネットワーク機器が前記端末装置に設定したものである場合、前記ネットワーク機器が前記第１マッピング関係を把握でき、前記第１マッピング関係は前記ネットワーク端末が前記端末装置に通知した第２マッピング関係に基づいて確定したものである場合、前記ネットワーク機器は前記第２マッピング関係に基づいて第１マッピング関係を確定することもできる。
【００６３】
前記端末装置は、前記第１ＱｏＳフローを識別するのが第２識別方式又は第４識別方式を使用することを確定する場合、前記端末装置は前記パケットに特定ビット数の識別情報を含め、前記識別情報によって前記第１ＱｏＳフローを識別し、次に前記第１ＤＲＢによって前記ネットワーク機器へ前記パケットを送信する。ネットワーク機器はこのパケットを受信した後、前記特定ビット数の識別情報を取得し、前記特定ビット数の識別情報に基づき、前記パケットに対応するＱｏＳフローを確定することができる。好ましくは、前記特定ビット数の識別情報とＱｏＳフローとの対応関係はネットワーク機器が前記端末装置に設定したものであってもよく、それにより前記端末装置は前記対応関係に基づいて前記特定ビット数の識別情報を記入することができ、前記ネットワーク機器は前記対応関係に基づき、前記ビット数の識別情報がどのＱｏＳフローを示すかを解析することができる。
【００６４】
好ましくは、いくつかの実施例では、前記方法は、更に、
前記端末装置は、前記第１マッピング関係を確定することを含む。
【００６５】
好ましくは、いくつかの実施例では、前記端末装置が、前記第１マッピング関係を確定することは、
前記端末装置は、前記ネットワーク機器から送信された、前記ネットワーク機器が前記第１マッピング関係を前記端末装置に設定するための上位レイヤシグナリングを受信することと、
前記上位レイヤシグナリングに基づいて前記第１マッピング関係を確定することと、を含む。
【００６６】
つまり、前記ネットワーク機器は上位レイヤシグナリングを介して前記第１マッピング関係を前記端末装置に直接設定することができ、前記第１マッピング関係はネットワーク機器が前記端末装置に設定したものであるため、前記ネットワーク機器が前記第１マッピング関係も把握できる。
【００６７】
好ましくは、いくつかの実施例では、前記端末装置が、前記第１マッピング関係を確定することは、
前記端末装置は、ネットワーク機器から送信された、第２マッピング関係に基づいて前記第１マッピング関係を確定するように前記端末装置に指示するための上位レイヤシグナリングを受信し、前記第２マッピング関係がダウンリンクデータマッピングのためのＤＲＢとＱｏＳフローとのマッピング関係であることと、
前記端末装置は、ミラーマッピング後の前記第２マッピング関係を前記第１マッピング関係として確定することと、を含む。
【００６８】
この場合、前記ネットワーク機器はどのように前記第１マッピング関係を確定するかを端末装置に通知することができ、例えば、第２マッピング関係に基づいて前記第１マッピング関係を確定することができ、前記第２マッピング関係がダウンリンクデータマッピングのためのＤＲＢとＱｏＳフローとのマッピング関係であり、前記端末装置は前記第２マッピング関係をミラーマッピングして、前記第１マッピング関係を取得することができる。この場合、前記ネットワーク機器が第２マッピング関係を把握でき、従って、前記ネットワーク機器は同様の方式で前記第１マッピング関係を確定することができる。
【００６９】
つまり、前記第１マッピング関係はネットワーク機器が上位レイヤシグナリングを介して前記端末装置に設定したものであってもよく、又は、前記端末装置が第２マッピング関係に基づいて確定したものであってもよく、前記第２マッピング関係がダウンリンクデータを伝送するためのマッピング関係であり、前記第２マッピング関係がＤＲＢとＱｏＳフローとのマッピング関係である。好ましくは、前記ネットワーク機器は上位レイヤシグナリングを介して前記第２マッピング関係を前記端末装置に設定することができ、次に前記ネットワーク機器は上位レイヤシグナリング（例えば、無線リソース制御（ＲＲＣ：Ｒａｄｉｏ  Ｒｅｓｏｕｒｃｅ  Ｃｏｎｔｒｏｌ）シグナリング）を介して前記第２マッピング関係に基づいて前記第１マッピング関係を確定し、つまり、ミラーマッピング後の前記第２マッピング関係を前記第１マッピング関係として確定することを前記端末装置に通知することができる。
【００７０】
要するに、ネットワーク機器は第１マッピング関係を知るでき、従って、前記ネットワーク機器はＳ２１０において説明した方式で前記第１マッピング関係に基づき、受信されたパケットに対応するＱｏＳフローの識別方式を確定することもできる。具体的に、前記ネットワーク機器は、前記パケットがどのＤＲＢによって送信されるかに基づき、前記第１マッピング関係を参照して、前記ＤＲＢに対応するＱｏＳフローの数を確定することができ、それにより端末装置がどの識別方式で前記パケットに対応するＱｏＳフローを識別するかを確定することができ、次に前記ネットワーク機器は上記方法に基づき、前記パケットをどのＱｏＳフローにマッピングするかを確定することができる。
【００７１】
以上は図２を参照しながら端末装置の観点から本願の実施例に係るアップリンク伝送方法を詳しく説明したが、以下に図３を参照しながらネットワーク機器の観点から本願の実施例に係るアップリンク伝送方法を詳しく説明する。ネットワーク機器側の説明は端末装置側の説明に対応し、類似説明は以上の説明を参照してもよく、重複を避けるため、ここで詳細な説明は省略すると理解すべきである。
【００７２】
図３は本願の他の実施例に係るアップリンク伝送方法の模式的なフローチャートであり、図３に示すように、前記方法３００は、
ネットワーク機器が端末装置の第１データ無線ベアラ（ＤＲＢ）によって送信したパケットを受信するＳ３１０と、
第１マッピング関係に基づき、前記パケットに対応する第１サービス品質（ＱｏＳ）フローの識別方式を確定し、前記第１マッピング関係がＱｏＳフローとＤＲＢとのマッピング関係であるＳ３２０と、
前記第１ＱｏＳフローの識別方式に基づき、前記第１ＤＲＢにおけるパケットに対応する前記第１ＱｏＳフローを確定するＳ３３０と、
前記第１ＤＲＢにベアラされるパケットを前記第１ＱｏＳフローにマッピングするＳ３４０と、を含む。
【００７３】
好ましくは、いくつかの実施例では、前記第１マッピング関係内において、ＱｏＳフローとＤＲＢが１対１に対応し、又は、複数のＱｏＳフローが１つのＤＲＢに対応する。
【００７４】
好ましくは、いくつかの実施例では、前記方法は、更に、
前記ネットワーク機器が第１マッピング関係を確定することを含む。
【００７５】
好ましくは、いくつかの実施例では、前記ネットワーク機器が第１マッピング関係を確定することは、
ミラーマッピング後の第２マッピング関係を前記第１マッピング関係として確定し、前記第２マッピング関係がダウンリンクデータマッピングのためのＤＲＢとＱｏＳフローとのマッピング関係であることを含む。
【００７６】
好ましくは、いくつかの実施例では、前記第１マッピング関係に基づき、前記パケットに対応する第１サービス品質（ＱｏＳ）フローの識別方式を確定することは、
前記第１マッピング関係内において、ＱｏＳフローとＤＲＢが１対１に対応する場合、前記ネットワーク機器は、前記端末装置が前記第１ＱｏＳフローを識別するのが第１識別方式を使用していることを確定し、前記第１識別方式が、ゼロビットの識別情報を用いて前記第１ＤＲＢにおけるパケットに対応する前記第１ＱｏＳフローを識別する方式であることを含み、
前記第１ＱｏＳフローの識別方式が前記第１ＤＲＢにおけるパケットに対応する前記第１ＱｏＳフローを確定することは、
前記ネットワーク機器は、前記第１ＤＲＢ及び前記第１マッピング関係に基づいて前記第１ＤＲＢに対応するＱｏＳフローを前記第１ＱｏＳフローとして確定することを含む。
【００７７】
好ましくは、いくつかの実施例では、前記第１マッピング関係に基づき、前記パケットに対応する第１サービス品質（ＱｏＳ）フローの識別方式を確定することは、
前記第１マッピング関係内において、各ＤＲＢに対応するＱｏＳフローの数が同じである場合、前記ネットワーク機器は、前記第１ＤＲＢに対応するＱｏＳフローの数に基づいて前記第１ＱｏＳフローの識別方式を確定し、又は
前記第１マッピング関係内において、少なくとも２つのＤＲＢに対応するＱｏＳフローの数が異なる場合、前記ネットワーク機器は、前記第１ＤＲＢに対応するＱｏＳフローの数に基づいて前記第１ＱｏＳフローの識別方式を確定し、又は
前記第１マッピング関係内において、少なくとも２つのＤＲＢに対応するＱｏＳフローの数が異なる場合、前記ネットワーク機器は、前記第２ＤＲＢに対応するＱｏＳフローの数に基づいて前記第１ＱｏＳフローの識別方式を確定し、前記第２ＤＲＢが前記第１マッピング関係内において対応するＱｏＳフローの数の最も多いＤＲＢであることを含む。
【００７８】
好ましくは、いくつかの実施例では、前記ネットワーク機器が、前記第１ＤＲＢに対応するＱｏＳフローの数に基づいて前記第１ＱｏＳフローの識別方式を確定することは、
前記第１ＤＲＢに対応するＱｏＳフローの数が所定の第１数閾値より小さい場合、前記端末装置が前記第１ＱｏＳフローを識別するのが第２識別方式を使用していることを確定し、前記第２識別方式が、前記第１ＤＲＢに対応するＱｏＳフローの数に基づき、特定ビット数の識別情報を確定し、前記特定ビット数の識別情報によって前記第１ＱｏＳフローを識別する方式であり、又は
前記第１ＤＲＢに対応するＱｏＳフローの数が前記所定の第１数閾値より大きい場合、第３識別方式で前記第１ＱｏＳフローを識別することを確定し、前記第３識別方式が前記第１ＱｏＳフローのＱｏＳフロー識別子（ＩＤ）で前記第１ＱｏＳフローを識別する方式であることを含み、
前記第１ＱｏＳフローの識別方式が前記第１ＤＲＢにおけるパケットに対応する前記第１ＱｏＳフローを確定することは、
前記ネットワーク機器は、特定ビット数の識別情報又は前記第１ＱｏＳフローのＱｏＳフローＩＤに基づいて前記第１ＱｏＳフローを確定することを含む。
【００７９】
好ましくは、いくつかの実施例では、前記ネットワーク機器が、前記第２ＤＲＢに対応するＱｏＳフローの数に基づいて前記第１ＱｏＳフローの識別方式を確定することは、
前記第２ＤＲＢに対応するＱｏＳフローの数が所定の第２数閾値より小さい場合、第４識別方式で前記第１ＱｏＳフローを識別することを確定し、前記第４識別方式が、前記第２ＤＲＢに対応するＱｏＳフローの数に基づき、特定ビット数の識別情報を確定し、前記特定ビット数の識別情報によって前記第１ＱｏＳフローを識別する方式であり、又は
前記第２ＤＲＢに対応するＱｏＳフローの数が前記所定の第２数閾値より大きい場合、第５識別方式で前記第１ＱｏＳフローを識別することを確定し、前記第５識別方式が前記第１ＱｏＳフローのＱｏＳフロー識別子（ＩＤ）で前記第１ＱｏＳフローを識別する方式であることを含み、
前記第１ＱｏＳフローの識別方式が前記第１ＤＲＢにおけるパケットに対応する前記第１ＱｏＳフローを確定することは、
前記ネットワーク機器は、前記特定ビット数の識別情報又は前記第１ＱｏＳフローのＱｏＳフローＩＤに基づいて前記第１ＱｏＳフローを確定することを含む。
【００８０】
好ましくは、いくつかの実施例では、前記方法は、更に、
前記ネットワーク機器は、第３マッピング関係を前記端末装置に送信し、前記第３マッピング関係が、前記第２識別方式又は前記第４識別方式を用いた場合における前記特定ビット数の識別情報とＱｏＳフローとの対応関係を含むことを含む。
【００８１】
好ましくは、いくつかの実施例では、前記第１マッピング関係内において、少なくとも２つのＤＲＢが異なる数のＱｏＳフローに対応する場合、前記方法は、更に、
前記ネットワーク機器は、指示情報を前記端末装置に送信し、前記指示情報が、前記第１ＤＲＢに対応するＱｏＳフローの数又は前記第２ＤＲＢに対応するＱｏＳフローの数に基づいて前記第１ＱｏＳフローの識別方式を確定するように前記端末装置に指示することに用いられることを含む。
【００８２】
以上は図２〜図３を参照しながら本願の方法実施例を詳しく説明したが、以下に図４及び図７を参照しながら本願の装置実施例を詳しく説明し、装置実施例は方法実施例に対応し、類似説明は方法実施例を参照してもよいと理解すべきである。
【００８３】
図４は本願の実施例に係る端末装置の模式的なブロック図である。図４における端末装置４００は、
第１マッピング関係に基づき、第１データ無線ベアラ（ＤＲＢ）にベアラされるパケットに対応する第１サービス品質（ＱｏＳ）フローの識別方式を確定することに用いられ、前記第１マッピング関係がＱｏＳフローとＤＲＢとのマッピング関係である確定モジュール４１０と、
前記第１ＱｏＳフローの識別方式に基づき、前記第１ＤＲＢにベアラされるパケットに対応する前記第１ＱｏＳフローを識別するための識別モジュール４２０と、
識別後の前記第１ＤＲＢにベアラされるパケットをネットワーク機器に送信するための通信モジュール４３０と、を備える。
【００８４】
好ましくは、いくつかの実施例では、前記第１マッピング関係内において、ＱｏＳフローとＤＲＢが１対１に対応し、又は、複数のＱｏＳフローが１つのＤＲＢに対応する。
【００８５】
好ましくは、いくつかの実施例では、前記確定モジュール４１０は、更に、
前記第１マッピング関係を確定することに用いられる。
【００８６】
好ましくは、いくつかの実施例では、前記通信モジュール４３０は、更に、
前記ネットワーク機器から送信された、前記ネットワーク機器が前記第１マッピング関係を前記端末装置に設定するための上位レイヤシグナリングを受信することに用いられ、
前記確定モジュール４１０は、更に、前記上位レイヤシグナリングに基づいて前記第１マッピング関係を確定することに用いられる。
【００８７】
好ましくは、いくつかの実施例では、前記通信モジュール４３０は、更に、
ネットワーク機器から送信された、第２マッピング関係に基づいて前記第１マッピング関係を確定するように前記端末装置に指示するための上位レイヤシグナリングを受信することに用いられ、前記第２マッピング関係がダウンリンクデータマッピングのためのＤＲＢとＱｏＳフローとのマッピング関係であり、
前記確定モジュール４１０は、具体的に、
ミラーマッピング後の前記第２マッピング関係を前記第１マッピング関係として確定することに用いられる。
【００８８】
好ましくは、いくつかの実施例では、前記確定モジュール４１０は、具体的に、
前記第１マッピング関係内において、ＱｏＳフローとＤＲＢが１対１に対応する場合、第１識別方式で前記第１ＱｏＳフローを識別することを確定し、前記第１識別方式が、ゼロビットの識別情報を用いて前記第１ＤＲＢにおけるパケットに対応する前記第１ＱｏＳフローを識別する方式であり、又は
前記第１マッピング関係内において、複数のＱｏＳフローが１つのＤＲＢに対応する場合、１つのＤＲＢに対応するＱｏＳフローの数に基づいて前記第１ＱｏＳフローの識別方式を確定することに用いられる。
【００８９】
好ましくは、いくつかの実施例では、前記確定モジュール４１０は、具体的に、
前記第１マッピング関係内において、各ＤＲＢに対応するＱｏＳフローの数が同じである場合、前記端末装置は、前記第１ＤＲＢに対応するＱｏＳフローの数に基づいて前記第１ＱｏＳフローの識別方式を確定し、又は
前記第１マッピング関係内において、少なくとも２つのＤＲＢに対応するＱｏＳフローの数が異なる場合、前記端末装置は、前記第１ＤＲＢに対応するＱｏＳフローの数に基づいて前記第１ＱｏＳフローの識別方式を確定し、又は
前記第１マッピング関係内において、少なくとも２つのＤＲＢに対応するＱｏＳフローの数が異なる場合、前記端末装置は、前記第２ＤＲＢに対応するＱｏＳフローの数に基づいて前記第１ＱｏＳフローの識別方式を確定することに用いられ、前記第２ＤＲＢが前記第１マッピング関係内において対応するＱｏＳフローの数の最も多いＤＲＢである。
【００９０】
好ましくは、いくつかの実施例では、前記確定モジュール４１０は、具体的に、
前記第１ＤＲＢに対応するＱｏＳフローの数が所定の第１数閾値より小さい場合、第２識別方式で前記第１ＱｏＳフローを識別することを確定し、前記第２識別方式が、前記第１ＤＲＢに対応するＱｏＳフローの数に基づき、特定ビット数の識別情報を確定し、前記特定ビット数の識別情報によって前記第１ＱｏＳフローを識別する方式であり、又は
前記第１ＤＲＢに対応するＱｏＳフローの数が前記所定の第１数閾値より大きい場合、第３識別方式で前記第１ＱｏＳフローを識別することを確定することに用いられ、前記第３識別方式が前記第１ＱｏＳフローのＱｏＳフロー識別子（ＩＤ）で前記第１ＱｏＳフローを識別する方式である。
【００９１】
好ましくは、いくつかの実施例では、前記確定モジュール４１０は、具体的に、
前記第２ＤＲＢに対応するＱｏＳフローの数が所定の第２数閾値より小さい場合、第４識別方式で前記第１ＱｏＳフローを識別することを確定し、前記第４識別方式が、前記第２ＤＲＢに対応するＱｏＳフローの数に基づき、特定ビット数の識別情報を確定し、前記特定ビット数の識別情報によって前記第１ＱｏＳフローを識別する方式であり、又は
前記第２ＤＲＢに対応するＱｏＳフローの数が前記所定の第２数閾値より大きい場合、第５識別方式で前記第１ＱｏＳフローを識別することを確定することに用いられ、前記第５識別方式が前記第１ＱｏＳフローのＱｏＳフロー識別子（ＩＤ）で前記第１ＱｏＳフローを識別する方式である。
【００９２】
好ましくは、いくつかの実施例では、前記通信モジュール４３０は、更に、
ネットワーク機器から送信された第３マッピング関係を受信することに用いられ、前記第３マッピング関係が、前記第２識別方式を用いた場合における前記特定ビット数の識別情報とＱｏＳフローとの対応関係を含む。
【００９３】
好ましくは、いくつかの実施例では、前記第１マッピング関係内において、少なくとも２つのＤＲＢが異なる数のＱｏＳフローに対応する場合、前記通信モジュール４３０は、更に、
ネットワーク機器の指示情報を受信するように用いられ、前記指示情報が、前記第１ＤＲＢに対応するＱｏＳフローの数又は前記第２ＤＲＢに対応するＱｏＳフローの数に基づいて前記第１ＱｏＳフローの識別方式を確定するように前記端末装置に指示することに用いられる。
【００９４】
図５は本願の実施例に係るネットワーク機器の模式的なブロック図である。図５のネットワーク機器５００は、
端末装置が第１データ無線ベアラ（ＤＲＢ）によって送信したパケットを受信するための通信モジュール５１０と、
第１マッピング関係に基づき、前記パケットに対応する第１サービス品質（ＱｏＳ）フローの識別方式を確定し、前記第１ＱｏＳフローの識別方式に基づき、前記第１ＤＲＢにおけるパケットに対応する前記第１ＱｏＳフローを確定することに用いられ、前記第１マッピング関係がＱｏＳフローとＤＲＢとのマッピング関係である確定モジュール５２０と、を備え、
前記通信モジュール５１０は、更に、前記第１ＤＲＢにベアラされるパケットを前記第１ＱｏＳフローにマッピングすることに用いられる。
【００９５】
好ましくは、いくつかの実施例では、前記第１マッピング関係内において、ＱｏＳフローとＤＲＢが１対１に対応し、又は、複数のＱｏＳフローが１つのＤＲＢに対応する。
【００９６】
好ましくは、いくつかの実施例では、前記確定モジュール５２０は、更に、
第１マッピング関係を確定することに用いられる。
【００９７】
好ましくは、いくつかの実施例では、前記確定モジュール５２０は、更に、
ミラーマッピング後の第２マッピング関係を前記第１マッピング関係として確定することに用いられ、前記第２マッピング関係がダウンリンクデータマッピングのためのＤＲＢとＱｏＳフローとのマッピング関係である。
【００９８】
好ましくは、いくつかの実施例では、前記確定モジュール５２０は、具体的に、
前記第１マッピング関係内において、ＱｏＳフローとＤＲＢが１対１に対応する場合、前記端末装置が前記第１ＱｏＳフローを識別するのが、第１識別方式を使用していることを確定し、前記第１識別方式が、ゼロビットの識別情報を用いて前記第１ＤＲＢにおけるパケットに対応する前記第１ＱｏＳフローを識別する方式であり、
前記第１ＤＲＢ及び前記第１マッピング関係に基づき、前記第１ＤＲＢに対応するＱｏＳフローを前記第１ＱｏＳフローとして確定することに用いられる。
【００９９】
好ましくは、いくつかの実施例では、前記確定モジュール５２０は、具体的に、
前記第１マッピング関係内において、各ＤＲＢに対応するＱｏＳフローの数が同じである場合、前記第１ＤＲＢに対応するＱｏＳフローの数に基づいて前記第１ＱｏＳフローの識別方式を確定し、又は
前記第１マッピング関係内において、少なくとも２つのＤＲＢに対応するＱｏＳフローの数が異なる場合、前記第１ＤＲＢに対応するＱｏＳフローの数に基づいて前記第１ＱｏＳフローの識別方式を確定し、又は
前記第１マッピング関係内において、少なくとも２つのＤＲＢに対応するＱｏＳフローの数が異なる場合、前記第２ＤＲＢに対応するＱｏＳフローの数に基づいて前記第１ＱｏＳフローの識別方式を確定することに用いられ、前記第２ＤＲＢが前記第１マッピング関係内において対応するＱｏＳフローの数の最も多いＤＲＢである。
【０１００】
好ましくは、いくつかの実施例では、前記確定モジュール５２０は、具体的に、
前記第１ＤＲＢに対応するＱｏＳフローの数が所定の第１数閾値より小さい場合、前記端末装置が前記第１ＱｏＳフローを識別するのが第２識別方式を使用していることを確定し、前記第２識別方式が、前記第１ＤＲＢに対応するＱｏＳフローの数に基づき、特定ビット数の識別情報を確定し、前記特定ビット数の識別情報によって前記第１ＱｏＳフローを識別する方式であり、又は
前記第１ＤＲＢに対応するＱｏＳフローの数が前記所定の第１数閾値より大きい場合、前記端末装置が前記第１ＱｏＳフローを識別するのが第３識別方式を使用していることを確定し、前記第３識別方式が前記第１ＱｏＳフローのＱｏＳフロー識別子（ＩＤ）で前記第１ＱｏＳフローを識別する方式であり、
特定ビット数の識別情報又は前記第１ＱｏＳフローのＱｏＳフローＩＤに基づいて前記第１ＱｏＳフローを確定することに用いられる。
【０１０１】
好ましくは、いくつかの実施例では、前記確定モジュール５２０は、具体的に、
前記第２ＤＲＢに対応するＱｏＳフローの数が所定の第２数閾値より小さい場合、前記端末装置が前記第１ＱｏＳフローを識別するのが第４識別方式を使用していることを確定し、前記第４識別方式が、前記第２ＤＲＢに対応するＱｏＳフローの数に基づき、特定ビット数の識別情報を確定し、前記特定ビット数の識別情報によって前記第１ＱｏＳフローを識別する方式であり、又は
前記第２ＤＲＢに対応するＱｏＳフローの数が前記所定の第２数閾値より大きい場合、前記端末装置が前記第１ＱｏＳフローを識別するのが第５識別方式を使用していることを確定し、前記第５識別方式が前記第１ＱｏＳフローのＱｏＳフロー識別子（ＩＤ）で前記第１ＱｏＳフローを識別する方式であり、
前記特定ビット数の識別情報又は前記第１ＱｏＳフローのＱｏＳフローＩＤに基づいて前記第１ＱｏＳフローを確定することに用いられる。
【０１０２】
好ましくは、いくつかの実施例では、前記通信モジュール５１０は、更に、
第３マッピング関係を前記端末装置に送信することに用いられ、前記第３マッピング関係が、前記第２識別方式又は前記第４識別方式を用いた場合における前記特定ビット数の識別情報とＱｏＳフローとの対応関係を含む。
【０１０３】
好ましくは、いくつかの実施例では、前記第１マッピング関係内において、少なくとも２つのＤＲＢが異なる数のＱｏＳフローに対応する場合、前記通信モジュール５１０は、更に、
指示情報を前記端末装置に送信することに用いられ、前記指示情報が、前記第１ＤＲＢに対応するＱｏＳフローの数又は前記第２ＤＲＢに対応するＱｏＳフローの数に基づいて前記第１ＱｏＳフローの識別方式を確定するように前記端末装置に指示することに用いられる。
【０１０４】
図６に示すように、本願の実施例は更に端末装置６００を提供し、前記端末装置６００は図２における方法２００に対応する端末装置の内容を実行することに用いられることのできる図４における端末装置４００であってもよい。前記端末装置６００は入力インターフェース６１０、出力インターフェース６２０、プロセッサ６３０及びメモリ６４０を備え、前記入力インターフェース６１０、出力インターフェース６２０、プロセッサ６３０及びメモリ６４０がバスシステムによって接続されてもよい。前記メモリ６４０はプログラム、命令又はコードを記憶することに用いられる。入力インターフェース６１０が信号を受信し、出力インターフェース６２０が信号を送信し及び上記方法実施例における操作を完了するように制御するために、前記プロセッサ６３０は前記メモリ６４０におけるプログラム、命令又はコードを実行することに用いられる。
【０１０５】
本願の実施例において、前記プロセッサ６３０は中央処理装置（ＣＰＵ：Ｃｅｎｔｒａｌ  Ｐｒｏｃｅｓｓｉｎｇ  Ｕｎｉｔ）であってもよく、前記プロセッサ６３０は更に他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は前記プロセッサは更にいかなる通常のプロセッサ等であってもよい。
【０１０６】
前記メモリ６４０は読み出し専用メモリ及びランダムアクセスメモリを含んでもよく、且つプロセッサ６３０に命令及びデータを提供する。メモリ６４０の一部は更に不揮発性ランダムアクセスメモリを含んでもよい。例えば、メモリ６４０に更に装置タイプの情報が記憶されてもよい。
【０１０７】
実現過程において、上記方法の各内容はプロセッサ６３０におけるハードウェアの集積論理回路又はソフトウェア形式の命令で完了してもよい。本願の実施例に開示される方法の内容はハードウェアプロセッサで実行して完了し、又はプロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。前記記憶媒体がメモリ６４０に位置し、プロセッサ６３０がメモリ６４０における情報を読み取り、そのハードウェアと組み合わせて上記方法の内容を完了する。重複を避けるため、ここで詳細な説明は省略する。
【０１０８】
１つの具体的な実施形態において、図４における端末装置に備える確定モジュール４１０は図６におけるプロセッサ６３０により実現されてもよく、端末装置４００に備える通信モジュール４３０は図６における入力インターフェース６１０及び出力インターフェース６２０により実現されてもよい。
【０１０９】
図７に示すように、本願の実施例は更にネットワーク機器７００を提供し、前記ネットワーク機器７００は図３における方法３００に対応するネットワーク機器の内容を実行することに用いられることのできる図５におけるネットワーク機器５００であってもよい。前記ネットワーク機器７００は入力インターフェース７１０、出力インターフェース７２０、プロセッサ７３０及びメモリ７４０を備え、前記入力インターフェース７１０、出力インターフェース７２０、プロセッサ７３０及びメモリ７４０がバスシステムによって接続されてもよい。前記メモリ７４０はプログラム、命令又はコードを記憶することに用いられる。入力インターフェース７１０が信号を受信し、出力インターフェース７２０が信号を送信し及び上記方法実施例における操作を完了するように制御するために、前記プロセッサ７３０は前記メモリ７４０におけるプログラム、命令又はコードを実行することに用いられる。
【０１１０】
本願の実施例において、前記プロセッサ７３０は中央処理装置（ＣＰＵ：Ｃｅｎｔｒａｌ  Ｐｒｏｃｅｓｓｉｎｇ  Ｕｎｉｔ）であってもよく、前記プロセッサ７３０は更に他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は前記プロセッサは更にいかなる通常のプロセッサ等であってもよい。
【０１１１】
前記メモリ７４０は読み出し専用メモリ及びランダムアクセスメモリを含んでもよく、且つプロセッサ７３０に命令及びデータを提供する。メモリ７４０の一部は更に不揮発性ランダムアクセスメモリを含んでもよい。例えば、メモリ７４０に更に装置タイプ情報が記憶されてもよい。
【０１１２】
実現過程において、上記方法の各内容はプロセッサ７３０におけるハードウェアの集積論理回路又はソフトウェア形式の命令で完了してもよい。本願の実施例に開示される方法の内容はハードウェアプロセッサで実行して完了し、又はプロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。前記記憶媒体がメモリ７４０に位置し、プロセッサ７３０がメモリ７４０における情報を読み取り、そのハードウェアと組み合わせて上記方法の内容を完了する。重複を避けるため、ここで詳細な説明は省略する。
【０１１３】
１つの具体的な実施形態において、図５におけるネットワーク機器に備える確定モジュール５２０は図７におけるプロセッサ７３０により実現されてもよく、ネットワーク機器５００に備える通信モジュール５１０は図７における入力インターフェース７１０及び出力インターフェース７２０により実現されてもよい。
【０１１４】
当業者であれば、本明細書に開示される実施例を参照して説明した各例示的なユニット及びアルゴリズムステップは、電子ハードウェア、又はコンピュータソフトウェアと電子ハードウェアとの組み合わせで実現されてもよいと理解される。これらの機能をハードウェア又はソフトウェア方式で実行するかは、技術案の特定応用及び設計制約条件によって決定される。当業者は各特定応用に対して異なる方法で説明された機能を実現することができるが、このような実現は本願の範囲を超えると見なされるべきではない。
【０１１５】
当業者であれば、説明を容易且つ簡単にするために、上記説明されるシステム、装置及びユニットの具体的な動作過程は、上記方法実施例における対応過程を参照してもよく、ここで詳細な説明は省略すると明確に理解される。
【０１１６】
本願に係るいくつかの実施例において、開示されるシステム、装置及び方法は他の方式で実現されてもよいと理解すべきである。例えば、以上に説明される装置実施例は模式的なものに過ぎず、例えば、前記ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１１７】
分離部材として説明される前記ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよい。実際の必要に応じて、その一部又は全部のユニットを選択して本実施例案の目的を実現してもよい。
【０１１８】
また、本発明の各実施例において、各機能ユニットは１つの処理ユニットに統合されてもよく、各ユニットは独立して物理的に存在してもよく、２つ又は２つ以上のユニットは１つのユニットに統合されてもよい。
【０１１９】
前記機能はソフトウェア機能ユニットの形式で実現され、且つ独立した製品として販売又は使用されるとき、１つのコンピュータ可読記憶媒体に記憶されてもよい。このような理解に基づき、本願の技術案の本質又は従来技術に貢献する部分、又は前記技術案の一部はソフトウェア製品の形式で具現されてもよく、前記コンピュータソフトウェア製品は、１台のコンピュータ装置（パーソナルコンピュータ、サーバ又はネットワーク機器等であってもよい）に本願の各実施例に記載の方法の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１２０】
以上の説明は本願の具体的な実施形態であって、本願の保護範囲を制限するためのものではなく、当業者が本願に開示される技術的範囲内に容易に想到し得る変更や置換は、いずれも本願の保護範囲内に含まれるべきである。従って、本願の保護範囲は特許請求の範囲に準じるべきである。
【図１】
0006980804.tif 000004
【図２】
0006980804.tif 000005
【図３】
0006980804.tif 000006
【図４】
0006980804.tif 000007
【図５】
0006980804.tif 000008
【図６】
0006980804.tif 000009
【図７】
0006980804.tif 000010